(57)【要約】【課題】棚同士を連結する連結部材とオプション部材とを棚に選択的に取り付けることができるとともに、これらの取付部分が簡易な構成である棚装置を提供する。【解決手段】棚装置１は、複数の棚と、該棚の上部に設けられた第一取付部２１Ｘ，２１Ｙと、該第一取付部２１Ｘ，２１Ｙに取り付け可能とされ、第二取付部３３Ｘ，３３Ｎが設けられたオプション部材３と、前記第一取付部２１Ｘ，２１Ｙに取り付け可能とされるとともに、第三取付部３３Ｘ，３３Ｎが設けられた取付本体３０と、前記第二取付部３３Ｘ，３３Ｎ及び前記第三取付部３３Ｘ，３３Ｎに取り付け可能とされ、前記複数の棚を前記交差方向に連結する連結部材９とを備え、前記オプション部材３、及び前記連結部材９が前記第三取付部３３Ｘ，３３Ｎに取り付けられた取付本体３０のいずれか一方は、前記第一取付部２１Ｘ，２１Ｙに取り付けられていることを特徴とする。【選択図】図１１
2015126823.tif 000002
【特許請求の範囲】
【請求項１】
幅方向に離間して配置された複数の支持体、及び該支持体間に架け渡され、物品を載置可能とされた棚板を有し、前記幅方向に交差する交差方向に離間して配置された複数の棚と、
該棚の上部に設けられた第一取付部と、
該第一取付部に取り付け可能とされ、第二取付部が設けられたオプション部材と、
前記第一取付部に取り付け可能とされるとともに、第三取付部が設けられた取付本体と、
前記第二取付部及び前記第三取付部に取り付け可能とされ、前記複数の棚を前記交差方向に連結する連結部材とを備え、
前記オプション部材、及び前記連結部材が前記第三取付部に取り付けられた取付本体のいずれか一方は、前記第一取付部に取り付けられていることを特徴とする棚装置。
【請求項２】
前記オプション部材は、前記第一取付部に取り付けられ、
前記連結部材は、前記第二取付部に取り付けられていることを特徴とする請求項１に記載の棚装置。
【請求項３】
前記オプション部材は、前記第一取付部に取り付け可能とされ、前記第二取付部を兼ねる前記第三取付部が設けられた前記取付本体と、該取付本体の第三取付部に取り付けられたオプション取付部とを有することを特徴とする請求項１または請求項２に記載の棚装置。
【請求項４】
前記第一取付部は、前記棚の前記交差方向の両側に設けられていることを特徴とする請求項１から請求項３のいずれか一項に記載の棚装置。
【請求項５】
前記オプション部材は、前記第一取付部に取り付けられる基部と、該基部から前記交差方向に向かって延びる支持杆と、該支持杆の先端に設けられた照明装置とを有することを特徴とする請求項１から請求項４のいずれか一項に記載の棚装置。
【請求項６】
前記支持杆は、前記棚の前記幅方向両側に配置された前記基部にそれぞれ設けられ、
前記照明装置は、前記棚の前記幅方向両側に設けられた前記支持杆の先端同士に架け渡されていることを特徴とする請求項５に記載の棚装置。
【請求項７】
前記支持杆及び前記基部の内部には、互いに連通する第一空間部が形成され、
前記支持体には、前記第一空間部に連通する第二空間部が形成されていることを特徴とする請求項５又は請求項６に記載の棚装置。
【発明の詳細な説明】
【技術分野】
【０００１】
本発明は、棚装置に関するものである。
【背景技術】
【０００２】
一般に、図書館等の公共施設や、倉庫、店舗、オフィス等には、物品を収容するための物品載置棚が設置されている。
このような物品載置棚としては、左右方向に離間して配置された複数の側板と、側板間に架け渡され、物品を載置可能な複数の棚板とを有し、側板の下部等が床面に固定されたものが知られている。
【０００３】
上記のような物品載置棚では、地震時には、棚板が左右方向に長尺な矩形状をなしているため、特に左右方向と直交する前後方向に揺れる。側板の下部が床面に固定されていても、大地震時には物品載置棚が前方又は後方に大きく揺れて転倒する可能性がある。また、図書館等では、このような物品載置棚が、前後方向に離間して複数配置されているため、一の物品載置棚が前方の物品載置棚に向かって転倒すると、複数の物品載置棚が次々に転倒する可能性もある。
【０００４】
このため、上記のように構成された物品載置棚が前後方向に離間して複数配置されるとともに、これら棚同士を前後方向延びるレールや転倒防止装置で連結したものが提案されている（下記特許文献１，２参照）。
【０００５】
ところで、上記に示すような物品載置棚は、収容効率を高めるために背の高いものが多いため、天井に設けられた照明が物品載置棚に遮られて下方にまで届かずに、下段に設けられた棚板では十分な照度を確保できないという問題点がある。
【０００６】
そこで、前後方向に離間して配置された複数の移動棚（物品載置棚）と、この物品載置棚の上端同士を前後方向に連結する防振杆と、防振杆に設けられた照明器具とを備える書架が提案されている（下記特許文献３参照）。この書架によれば、移動棚同士が前後方向に防振杆で連結されているため、移動棚の前後方向への転倒が抑えられる。さらに、移動棚間に配置された防振杆に照明器具が設けられているため、前後方向の物品載置棚間に設けられた通路及び物品載置棚の棚板に照明器具の照明が照らされる。よって、通路を通行しやすいとともに、棚板に載置された物品が見やすい。
【先行技術文献】
【特許文献】
【０００７】
【特許文献１】実公昭６２−４１９１号公報
【特許文献２】特開平１０−７１０２８号公報
【特許文献３】特許第２７９５１８６号公報
【発明の概要】
【発明が解決しようとする課題】
【０００８】
しかしながら、上記の特許文献３に記載された書架では、照明器具が必要で防振杆が不要な場合でも、移動棚に設けられた防振杆に照明器具が取り付けられる構成であるため、移動棚に防振杆を取り付けざるを得ない。よって、照明器具のみを取り付けたい場合、防振杆のみを取り付けたい場合等のそれぞれのニーズに十分に対応することができないという問題点がある。
【０００９】
本発明は、上記事情に鑑みてなされたものであり、棚同士を連結する連結部材とオプション部材とを棚に選択的に取り付けることができるとともに、これらの取付部分が簡易な構成である棚装置を提供するものである。
【課題を解決するための手段】
【００１０】
上記目的を達成するために、本発明は以下の手段を採用している。
すなわち、本発明に係る棚装置は、幅方向に離間して配置された複数の支持体、及び該支持体間に架け渡され、物品を載置可能とされた棚板を有し、前記幅方向に交差する交差方向に離間して配置された複数の棚と、該棚の上部に設けられた第一取付部と、該第一取付部に取り付け可能とされ、第二取付部が設けられたオプション部材と、前記第一取付部に取り付け可能とされるとともに、第三取付部が設けられた取付本体と、前記第二取付部及び前記第三取付部に取り付け可能とされ、前記複数の棚を前記交差方向に連結する連結部材とを備え、前記オプション部材、及び前記連結部材が前記第三取付部に取り付けられた取付本体のいずれか一方は、前記第一取付部に取り付けられていることを特徴とする。
【００１１】
このように構成された棚装置では、棚に設けられた第一取付部にオプション部材が取り付けられることにより、オプション部材は各棚に取り付けられる。また、取付本体が棚の第一取付部に取り付けられ、取付本体に設けられた第三取付部に連結部材が取り付けられることにより、連結部材は各棚を交差方向に連結する。つまり、オプション部材及び連結部材の設けられた取付本体のいずれか一方を棚の第一取付部に取り付けることにより、各棚にオプション部材を取り付けることができるか、又は棚同士を連結部材で連結することができる。よって、棚同士を連結する連結部材とオプション部材とを棚に選択的に取り付けることができる。
また、オプション部材及び連結部材が取り付けられるのは共に棚の第一取付部であり、オプション部材を取り付けるための部分と連結部材が取り付けられる部分とを別々に設ける構成ではない。つまり、オプション部材及び連結部材を取り付けるために、棚には一の取付部分を設けるだけでよいため、簡易な構成とすることができる。
【００１２】
また、本発明に係る棚装置は、前記オプション部材は、前記第一取付部に取り付けられ、前記連結部材は、前記第二取付部に取り付けられていることが好ましい。
【００１３】
このように構成された棚装置では、棚の第一取付部にオプション部材が取り付けられるとともに、オプション部材の第二取付部に連結部材が取り付けられる。これにより、棚にオプション部材を取り付けるとともに、棚同士を連結部材で連結することができる。
【００１４】
また、本発明に係る棚装置は、前記オプション部材は、前記第一取付部に取り付け可能とされ、前記第二取付部を兼ねる前記第三取付部が設けられた前記取付本体と、該取付本体の第三取付部に取り付けられたオプション取付部とを有していてもよい。
【００１５】
このように構成された棚装置では、棚にオプション部材を取り付ける際には、棚の第一取付部に取付本体を取り付け、取付本体に設けられた第三取付部（第二取付部）にオプション取付部を取り付ける。また、棚同士を連結部材で連結する際には、複数の棚それぞれの第一取付部に取付本体を取り付け、取付本体に設けられた第三取付部に連結部材を取り付ける。よって、棚に取り付けられた取付本体に対して、オプション取付部又は連結部材を取り付けることにより、各棚にオプション取付部を取り付けることができるか、又は棚同士を連結部材で連結することができる。このように、棚にオプション部材を取り付ける態様と棚同士を連結部材で連結する態様とにおいて、棚に取り付けられる取付本体を共通化することができる。
【００１６】
また、本発明に係る棚装置は、前記第一取付部は、前記棚の前記交差方向の両側に設けられていることが好ましい。
【００１７】
このように構成された棚装置では、棚の交差方向両側に設けられた第一取付部にオプション部材を取り付けることにより、棚の交差方向両側にオプション部材を設けることができる。
また、棚の交差方向両側に設けられた第一取付部に連結部材の設けられた取付本体を取り付けることにより、棚と連結部材とを交差方向の２か所で連結することができる。よって、棚同士を強固に連結することができる。
【００１８】
また、本発明に係る棚装置は、前記オプション部材は、前記第一取付部に取り付けられる基部と、該基部から前記交差方向に向かって延びる支持杆と、該支持杆の先端に設けられた照明装置とを有することが好ましい。
【００１９】
このように構成された棚装置では、棚から棚の幅方向と交差する交差方向に向かって延びる支持杆の先端に照明装置を設けることにより、棚及び棚の交差方向側を照明装置で照らすことができる。また、照明装置は支持杆で支持されているため、棚の上方の空間を開放することができ、天井設備の支障となりにくい。
【００２０】
また、本発明に係る棚装置は、前記支持杆は、前記棚の前記幅方向両側に配置された前記基部にそれぞれ設けられ、前記照明装置は、前記棚の前記幅方向両側に設けられた前記支持杆の先端同士に架け渡されていてもよい。
【００２１】
このように構成された棚装置では、棚の幅方向両側に基部が設けられ、これら各基部には支持杆が設けられている。照明装置は、これら支持杆の先端同士に架け渡すように設けられている。よって、棚の幅方向にわたって配置された照明装置により、幅方向全域にわたって棚を照らすことができる。
【００２２】
また、本発明に係る棚装置は、前記支持杆及び前記基部の内部には、互いに連通する第一空間部が形成され、前記支持体には、前記第一空間部に連通する第二空間部が形成されていてもよい。
【００２３】
このように構成された棚装置では、照明装置に接続された配線は、支持杆及び基部に形成された第一空間部から、支持体に形成された第二空間部を通過して、第二空間部内に収容される。よって、照明装置の配線の露出を抑えることができるため、外観を良好とすることができる。
【発明の効果】
【００２４】
本発明に係る棚装置によれば、棚同士を連結する連結部材とオプション部材とを棚に選択的に取り付けることができるとともに、これらの取付部分を簡易な構成とすることができる。
【図面の簡単な説明】
【００２５】
【図１】本発明の第一実施形態に係る棚装置において、オプション部材を備えた構成（第一の態様）を示す斜視図である。
【図２】本発明の第一実施形態に係る棚装置において、連結部材を備えた構成（第一の態様）を示す斜視図である。
【図３】本発明の第一実施形態に係る棚装置において、オプション部材及び連結部材を備えた構成（第一の態様）を示す斜視図である
【図４】本発明の第一実施形態に係る棚装置の第一の態様を示す分解斜視図である。
【図５】図１のＡ部拡大図である。
【図６】図１のＢ部拡大図である。
【図７】図４のＣ部拡大図である。
【図８】図６の（ａ）Ｐ−Ｐ断面図、（ｂ）Ｑ−Ｑ断面図である。
【図９】図５のＲ−Ｒ断面図である。
【図１０】本発明の第一実施形態に係る棚装置の第二の態様の構成を示す分解斜視図である。
【図１１】本発明の第一実施形態に係る棚装置の第三の態様の構成を示す分解斜視図である。
【図１２】本発明の第二実施形態に係る棚装置の第一態様の構成を示す分解斜視図である。
【図１３】本発明の第二実施形態に係る棚装置の第二態様の構成を示す分解斜視図である。
【図１４】本発明の第二実施形態に係る棚装置の第三態様の構成を示す分解斜視図である。
【図１５】本発明の第三実施形態に係る棚装置の第一態様の構成を示す分解斜視図である。
【図１６】本発明の第三実施形態に係る棚装置の第二態様の構成を示す分解斜視図である。
【図１７】本発明の第三実施形態に係る棚装置の第三態様の構成を示す分解斜視図である。
【発明を実施するための形態】
【００２６】
（第一実施形態）
以下、本発明の第一実施形態について説明する。
図１は、本実施形態に係る棚装置において、オプション部材を備えた構成を示す斜視図である。図２は、本実施形態に係る棚装置において、連結部材を備えた構成を示す斜視図である。図３は、本実施形態に係る棚装置において、オプション部材及び連結部材を備えた構成を示す斜視図である。
【００２７】
図１から図３に示すように、本実施形態のキャビネット装置１（棚装置）は、書籍（物品）等を収容可能な複数のキャビネット２（棚）と、キャビネット２の上部に設けられた照明体３（オプション部材）、及びキャビネット２の上部同士を連結する連結部材９のいずれか一方又は両方とを備えている。つまり、キャビネット装置１では、照明体３と連結部材９のいずれか一方を備える構成や、両方を備える構成を選択することができる。
【００２８】
（照明装置付きキャビネット装置１Ａ）
まず、図１に示すように、左右方向に隣接配置された２つのキャビネット２と、各キャビネット２に取り付けられた照明体３とを備える照明装置付きキャビネット装置１Ａ（以下、単に「キャビネット装置１Ａ」と称する）について説明する。
【００２９】
なお、この左右方向に隣接配置された２つのキャビネット２は、前後方向に間隔を有して複数列配置されている（不図示）。このキャビネット２の前方の空間部及び後方の空間部２Ｓは、利用者が通行可能な通路とされている。
【００３０】
ここで、キャビネット２の幅方向（図１に示す紙面左手前側から右奥側に向かう方向）を左右方向とする。また、キャビネット２の幅方向に直交する方向であって、キャビネット２の奥行方向（図１に示す紙面右手前側から左奥側に向かう方向）を前後方向とする。
【００３１】
（キャビネット）
各キャビネット２は、左右方向に離間して配置された１対の側板２１（支持体）と、これら側板２１の前後方向の中央に固定された連結体２２と、１対の側板２１の下部同士を連結する横連結杆２３と、側板２１間に架け渡された棚板２６とを備えている。
【００３２】
また、側板２１の内面には、上下方向に離間した複数の支持孔２１Ｗが、前後方向に４列形成されている。この支持孔２１Ｗには、棚板２６の端部に形成された支持ピン（不図示）が係止されている。これにより、一対の側板２１間には、上下方向に離間して複数の棚板２６が架け渡されている。この棚板２６は、書籍を載置可能とされている。
また、側板２１の上部には、後述する照明体３を取り付けるために、左右方向に貫通する貫通孔２１Ｙ（第一取付部）（図４参照）が形成されている。
【００３３】
側板２１は、側面視縦長長方形の鋼板で構成されている。キャビネット装置１の左右方向中間部には２枚の側板２１が隣接配置されている。これら２枚の側板２１が、キャビネット装置１の左右方向中間に配置された中間体２１Ｐを構成している。
【００３４】
図４は、キャビネット装置１Ａの構成を示す分解斜視図である。
図４に示すように、中間体２１Ｐを構成する各側板２１の上端の前後両側には、それぞれ下方に向かって凹む取付穴２１Ｘ（第一取付部）が形成されている。つまり、中間体２１Ｐには、前後両側にそれぞれ一対の取付穴２１Ｘが隣接して設けられている。
【００３５】
また、図１に示すように、キャビネット装置１Ａの左右両側に配置された側板２１には、この側板２１の外面に沿ってカバー２８が設けられている。カバー２８は、鋼板で構成され、側板２１の外面との間に空間部２８Ｓ（第二空間部）を形成するように、側板２１の外側を覆っている。この側板２１と側板２１に沿って設けられたカバー２８とが、キャビネット装置１の左右両端部に配置された端部体２１Ｑを構成している。
【００３６】
図４に示すように、端部体２１Ｑを構成するカバー２８の上端の前後両側にも、側板２１と同様に、下方に向かって凹む取付穴２１Ｘ（第一取付部）が形成されている。つまり、端部体２１Ｑにも、中間体２１Ｐと同様に、前後両側にそれぞれ一対の取付穴２１Ｘが隣接して設けられている。
【００３７】
（照明体）
照明体３は、側板２１及びカバー２８の取付穴２１Ｘに取り付けられる取付金具３０（取付本体）と、取付金具３０から延びる照明フレーム４０（オプション取付部）と、照明フレーム４０に設けられた照明装置５０と、照明装置５０の配線Ｈを収容する配線ダクト６０とを有している。
【００３８】
図５は、図１のＡ部拡大図である。図６は、図１のＢ部拡大図である。図７は、図４のＣ部拡大図である。図８は、図６の（ａ）Ｐ−Ｐ断面図、（ｂ）Ｑ−Ｑ断面図である。
図４〜図８に示すように、取付金具３０は、キャビネット装置１の中間体２１Ｐ、端部体２１Ｑに設けられた一対の各取付穴２１Ｘにそれぞれ上方から挿入させる挿入片３１と、各挿入片３１から上方に延びる支持壁部３２とを有している。
【００３９】
また、取付金具３０は、支持壁部３２の上端同士を連結する連結壁部３３と、支持壁部３２の上下方向中間部同士を連結する補強壁部３４とを有している。この補強壁部３４により、一対の支持壁部３２同士は互いに離間寸法を維持することができる。本実施形態では、挿入片３１と、支持壁部３２と、連結壁部３３とは一体として形成されている。
【００４０】
挿入片３１には、左右方向に貫通する雌ネジ３１Ｘが形成されている。側板２１に形成された貫通孔２１Ｙから挿通されたネジ２１Ｚが、挿入片３１の雌ネジ３１Ｘに螺合されている。これにより、各取付金具３０は、それぞれ中間体２１Ｐ、端部体２１Ｑの前後両側に取り付けられている。
【００４１】
一対の挿入片３１は、左右方向に離間して配置されている。また、挿入片３１に連続して形成された支持壁部３２も、左右方向に離間して配置されている。これにより、対向配置された挿入片３１、支持壁部３２間には、前後方向に開口する空間部３３Ｓが形成されている。
【００４２】
連結壁部３３には、上下方向に貫通する貫通孔３３Ｘ（第二取付部、第三取付部）が形成されている。また、連結壁部３３の下面には、ナット３３Ｎ（第二取付部、第三取付部）が設けられている。これら、貫通孔３３Ｘ及びナット３３Ｎは、後述する照明フレーム４０を取り付けるために設けられている。
【００４３】
照明フレーム４０は、上下方向に延びる筒状に形成された挿入筒４１（基部）と、挿入筒４１から前方に向かって延びる支持アーム４６（支持杆）とを有している。本実施形態では、挿入筒４１と支持アーム４６とは一体として形成されている。
【００４４】
挿入筒４１内には、取付金具３０の支持壁部３２及び連結壁部３３が挿入配置されている。また、挿入筒４１の上端には、キャップ４２が設けられている。キャップ４２には、上下方向の貫通する貫通孔４２Ｘが形成されている。貫通孔４２Ｘは、連結壁部３３の貫通孔３３Ｘ及びナット３３Ｎと対応する位置に形成されている。この貫通孔４２Ｘから挿通されたネジ４２Ｚが、連結壁部３３の貫通孔３３Ｘを通過してナット３３Ｎに螺合されている。これにより、照明フレーム４０は、取付金具３０に取り付けられている。
【００４５】
挿入筒４１の前面には、上端から下方に向かって凹む前切欠き部４１Ｋが形成されている。また、挿入筒４１の後面には、下端から上方に向かって凹む後切欠き部４１Ｒが形成されている。
【００４６】
支持アーム４６は、左右方向に対向配置された一対の側アーム部４７と、一対の側アーム部４７の下部を連結する連結アーム部４８とを有している。一対の側アーム部４７の前端間には、後述する照明装置５０を支持するための照明固定台４９が設けられている。照明固定台４９には、上下方向に貫通する貫通孔４９Ｘが形成されている。また、照明固定台４９の下面には、ナット４９Ｎが設けられている。
【００４７】
照明装置５０は、隣接する支持アーム４６の前端間に、左右方向に延びるように架け渡されている照明装置本体５１と、照明装置本体５１を覆うカバー５６とを有している。
【００４８】
照明装置本体５１には、ＬＥＤ（Ｌｉｇｈｔ  Ｅｍｉｔｔｉｎｇ  Ｄｉｏｄｅ）等の不図示の点状光源が、照明装置本体５１の長手方向、つまり、左右方向に間隔を有して複数設けられている。
【００４９】
カバー５６は、全体として円筒状をなしている。カバー５６の下側であってキャビネット２側（後方）を向く面は、平面状に形成された平坦部５７Ａとされている。この平坦部５７Ａには、下方に向けて開口する開口部５８が形成されている。
【００５０】
カバー５６の上部には、下方に向かって凹む係止溝５９が照明装置本体５１の長手方向に向かって形成されている。係止溝５９は、底部をなす固定壁部５９Ａと、固定壁部５９Ａの両端から立設する立設壁部５９Ｂと、各立設壁部５９Ｂから係止溝５９の幅方向中心側に向かって延びる係止爪５９Ｃとを有している。
【００５１】
配線ダクト６０は、隣接する支持アーム４６の前端間に、左右方向に延びるように架け渡されている。配線ダクト６０は、上側に配置された上壁部６１、上壁部６１の後端から下方に向かって延びる後壁部６２、後壁部６２の下端から前方に向かって延びる下壁部６３とを有している。上壁部６１には、照明フレーム４０と対応する位置に、前端から後方に向かってスリット６１Ｓが形成されている。
【００５２】
次に、上記のように構成された照明フレーム４０の支持アーム４６と、照明装置５０と、配線ダクト６０との連結構造について説明する。ここでは、中間体２１Ｐに設けられた支持アーム４６を例に挙げて説明する。
【００５３】
支持アーム４６の前端の照明固定台４９には、ダクト固定金具７０が設けられている。ダクト固定金具７０は、照明固定台４９に固定されるアーム固定壁部７１と、アーム固定壁部７１の前端から左右方向に幅広に形成されたダクト固定壁部７２とを有している。
【００５４】
アーム固定壁部７１には、支持アーム４６の照明固定台４９の貫通孔４９Ｘ及びナット４９Ｎと対応する位置に、上下方向に貫通する貫通孔７１Ｘが形成されている。この貫通孔７１Ｘに挿通されたネジ７１Ｚが、支持アーム４６の照明固定台４９の貫通孔４９Ｘに挿通されナット４９Ｎに螺合されている。これにより、ダクト固定金具７０は、支持アーム４６に取り付けられている。
【００５５】
ダクト固定壁部７２の左右両側には、上下方向に貫通する雌ネジ７２Ｘが形成されている。また、ダクト固定壁部７２の前端には、上方に向かって立ち上がる係合爪７２Ｔが形成されている。
【００５６】
照明装置５０の左右両端部には、それぞれ照明固定金具８０が設けられている。照明固定金具８０は、照明装置５０のカバー５６の係止溝５９内に配置される係止壁部８１を有している。係止壁部８１は、照明装置本体５１の長手方向に離間して一対設けられている。
【００５７】
この係止壁部８１が照明装置５０の係止溝５９内に配置され、係止壁部８１の両端が係止溝５９の係止爪５９Ｃの下面と係止している。これにより、照明装置５０が照明固定金具８０に対して前後方向に移動して、照明固定金具８０から抜け落ちることが防止されている。
【００５８】
照明固定金具８０は、一対の係止壁部８１の対向する側からそれぞれ立設する立設壁部８２と、立設壁部８２同士を連結する連結壁部８３とを有している。連結壁部８３には、ダクト固定金具７０の雌ネジ７２Ｘと対応する位置に、上下方向に貫通する貫通孔８３Ｘが形成されている。
【００５９】
図６に示すように、ダクト固定金具７０の一対のダクト固定壁部７２のうち一方は、一の照明固定金具８０の連結壁部８３の下面に沿って配置されている。また、他方のダクト固定壁部７２は、隣接する照明固定金具８０の連結壁部８３の下面に沿って配置されている。つまり、ダクト固定金具７０は、隣接する一対の照明固定金具８０にまたがるように配置されている。
【００６０】
配線ダクト６０の左右両端部は、支持アーム４６の側アーム部４７の外面に突き当てられるように配置されている。配線ダクト６０の上壁部６１に形成されたスリット６１Ｓは、照明固定金具８０の貫通孔８３Ｘ及びダクト固定金具７０の雌ネジ７２Ｘと対応する位置に配置されている。
【００６１】
配線ダクト６０のスリット６１Ｓには、ネジ６１Ｚが挿通されている。このスリット６１Ｓ及び照明固定金具８０の貫通孔８３Ｘに挿通されたネジ６１Ｚが、ダクト固定金具７０の雌ネジ７２Ｘに螺合されている。これにより、隣接配置された一対の照明装置５０及び一対の配線ダクト６０は、それぞれ支持アーム４６に取り付けられている。
【００６２】
この状態で、ダクト固定壁部７２の係合爪７２Ｔは、照明固定金具８０の連結壁部８３の前端から上方に延びるように配置されている。これにより、照明固定金具８０が前方に向かって移動して、ダクト固定金具７０から抜けることが防止されている。
【００６３】
なお、端部体２１Ｑの支持アーム４６に設けられたダクト固定金具７９には、照明装置５０が配置される左右方向一方側にのみダクト固定壁部７２が形成されている。ダクト固定金具７９の左右方向他方側には、支持アーム４６の端部を閉塞する閉塞壁部７８が形成されている。
【００６４】
図９は、図５のＲ−Ｒ断面図である。
図９に示すように、照明装置５０の配線Ｈは、照明装置５０の左右両端部から延び、支持アーム４６の一対の側アーム部４７及び連結アーム部４８とで構成された空間である支持アーム空間部４６Ｓ（第一空間部）内を通過する。支持アーム空間部４６Ｓ内を通過した配線Ｈは、支持アーム４６と一体に形成された挿入筒４１の前切欠き部４１Ｋを通過して、挿入筒４１内に配置された取付金具３０内の空間部３３Ｓ（第一空間部）に配置される。この配線Ｈは、挿入筒４１の後切欠き部４１Ｒを通過して、カバー２８内の空間部２８Ｓに配置される。そして、配線Ｈは、カバー２８内に配置された電源（不図示）に接続されている。
【００６５】
（連結部材付きキャビネット装置）
次に、図２に示すように、左右方向に隣接配置された２つのキャビネット２が、前後方向に間隔を有して３列配置されるとともに、キャビネット２同士を前後方向に連結する連結部材９が設けられた連結部材付きキャビネット装置１Ｂ（以下、単に「キャビネット装置１Ｂ」と称する）について説明する。
【００６６】
キャビネット装置１Ｂの左右両端部に配置された端部体２１ＱＢは、左右方向中間に配置された中間体２１Ｐと同様に、２枚の側板２１で構成されている。
【００６７】
図１０は、キャビネット装置１Ｂの構成を示す分解斜視図である。
図２及び図１０に示すように、これら端部体２１Ｑ、中間体２１Ｐには、それぞれ取付金具３０が設けられている。この取付金具３０には、連結部材９が取り付けられている。
【００６８】
連結部材９は、筒状に形成された複数の化粧筒９１と、複数の化粧筒９１同士を連結する頭つなぎ材９２（連結本体）と、頭つなぎ材９２同士を連結する連結金具１００とを有している。
【００６９】
化粧筒９１内には、取付金具３０の支持壁部３２及び連結壁部３３が挿入配置されている。この化粧筒９１は、前後方向に離間して複数配置されている。
【００７０】
頭つなぎ材９２は、断面視矩形の中空状に形成されている。頭つなぎ材９２は、前後方向に離間して配置された化粧筒９１の上端に架け渡されるように配置されている。
【００７１】
この頭つなぎ材９２の上面及び下面には、取付金具３０の貫通孔３３Ｘ及びナット３３Ｎと対応する位置に、上下方向に貫通する貫通孔９２Ｘがそれぞれ形成されている。この貫通孔９２Ｘには、ネジ９２Ｚが挿通されている。貫通孔９２Ｘに挿通されたネジ９２Ｚは、取付金具３０の貫通孔３３Ｘに挿通されナット３３Ｎに螺合されている。これにより、頭つなぎ材９２は、キャビネット２の前後両端に設けられた取付金具３０にそれぞれ取り付けられている。
【００７２】
一のキャビネット２に取り付けられた頭つなぎ材９２と、一のキャビネット２の前後方向に配置された他のキャビネット２に取り付けられた頭つなぎ材９２とは、互いに端部９２Ｔを突きつけるようにして配置されている。頭つなぎ材９２の端部９２Ｔは、キャビネット２間に形成された空間部２Ｓに位置している。この頭つなぎ材９２の端部９２Ｔ側の上面には、上下方向に貫通する貫通孔９３Ｘが複数形成されている。
【００７３】
連結金具１００の前後方向に直交する断面は、Ｃ字状に形成されている。連結金具１００は、上下方向に対向して配置された上壁部１０１、下壁部１０２と、上壁部１０１の一端と下壁部１０２の一端とを連結する連結壁部１０３と、上壁部１０１の他端から下方に屈曲した下向き壁部１０４と、下壁部１０２の他端から上方に屈曲した上向き壁部１０５とを有している。
【００７４】
上壁部１０１には、上下方向に貫通する雌ネジ１０１Ｘが、前後方向に離間して複数形成されている。この連結金具１００は、頭つなぎ材９２の内部に配置されている。また、連結金具１００は、端部９２Ｔを突きつけるように隣接配置された頭つなぎ材９２同士をまたがるように配置されている。
【００７５】
頭つなぎ材９２の貫通孔９３Ｘには、ネジ９３Ｚが挿通されている。挿通されたネジ９３Ｚが頭つなぎ材９２の内部に配置された連結金具１００の雌ネジ１０１Ｘに螺合されている。これにより、前後方向に隣接配置された頭つなぎ材９２同士は、連結金具１００を介して前後方向に連結される。
【００７６】
（照明装置及び連結部材付きキャビネット装置）
次に、図３に示すように、左右方向に隣接配置された２つのキャビネット２が、前後方向に間隔を有して３列配置され、照明装置５０及び連結部材９が設けられた照明装置及び連結部材付きキャビネット装置１Ｃ（以下、単に「キャビネット装置１Ｃ」と称する）について説明する。
【００７７】
キャビネット装置１Ｃの左右両端部に配置された端部体２１Ｑは、キャビネット装置１Ａと同様に、側板２１と、側板２１に沿って配置されたカバー２８とを有している。
【００７８】
図１１は、キャビネット装置１Ｃの構成を示す分解斜視図である。
図３及び図１１に示すように、キャビネット２には、キャビネット装置１Ａと同様に照明体３が取り付けられている。ただし、照明体３の挿入筒４１の上端には、キャップ４２（図４参照）が設けられていない。挿入筒４１の上端が閉塞されていない状態で、挿入筒４１の上端に頭つなぎ材９２が配置される。
【００７９】
この頭つなぎ材９２の上面及び下面の貫通孔９２Ｘには、ネジ９２Ｚが挿通されている。貫通孔９２Ｘに挿通されたネジ９２Ｚは、取付金具３０の貫通孔３３Ｘに挿通されナット３３Ｎに螺合されている。これにより、頭つなぎ材９２は、取付金具３０に取り付けられている。つまり、照明装置５０及び頭つなぎ材９２は、それぞれ取付金具３０を介して、キャビネット２に取り付けられていている。
【００８０】
このように構成されたキャビネット装置１の一態様のキャビネット装置１Ａでは、照明装置５０が照明フレーム４０に取り付けられ、照明フレーム４０が取付金具３０に取り付けられ、取付金具３０はキャビネット２に取り付けられている。このように、照明装置５０は、取付金具３０を介してキャビネット２に取り付けられている。
また、キャビネット装置１の他の態様のキャビネット装置１Ｂでは、連結部材９は取付金具３０に取り付けられ、取付金具３０はキャビネット２に取り付けられている。このように、連結部材９は、取付金具３０を介して前後方向に隣接するキャビネット２同士を前後方向に連結している。
つまり、キャビネット２に取付金具３０を取り付けて、取付金具３０に対して照明フレーム４０又は連結部材９を取り付けることにより、各キャビネット２に照明装置５０を取り付けることができるか、又はキャビネット２同士を連結部材９で連結することができる。よって、キャビネット２同士を連結する連結部材９と照明装置５０とをキャビネット２に選択的に取り付けることができる。
また、側板２１に設けられた取付穴２１Ｘ及び貫通孔２１Ｙを介して、照明装置５０及び連結部材９が取り付けられる。つまり、照明装置５０を取り付けるための側板２１（又はカバー２８）の加工と、連結部材９を取り付けるための側板２１（又はカバー２８）の加工とは共通であるため、これらの加工を別々に設ける場合よりも簡易な構成とすることができる。
【００８１】
また、キャビネット装置１の一態様のキャビネット装置１Ｃでは、照明装置５０が照明フレーム４０に取り付けられ、照明フレーム４０及び連結部材９が取付金具３０に取り付けられ、取付金具３０はキャビネット２に取り付けられている。これにより、キャビネット２に照明装置５０を取り付けるとともに、キャビネット２同士を連結部材９で連結することができる。
【００８２】
また、連結部材９は、キャビネット２の前後両端に取り付けられているため、前後方向に配置されたキャビネット２同士を強固に連結することができる。
【００８３】
また、キャビネット２から前方及び後方に延びる支持アーム４６の先端に照明装置５０が設けられている。さらに、照明装置５０は、キャビネット２の左右両側に設けられた支持アーム４６に架け渡されている。よって、照明装置５０は、キャビネット２及びキャビネット２の前方及び後方に設けられた通路としての空間部２Ｓを、左右方向にわたって明るく照らすことができる。
【００８４】
また、照明装置５０は支持アーム４６で支持されているため、キャビネット２の上方の空間を開放することができ、天井設備の支障となりにくい。
【００８５】
また、照明装置５０に接続された配線Ｈは、照明装置５０の左右両端部から延び、支持アーム空間部４６Ｓ、取付金具３０内の空間部３３Ｓ及びカバー２８内の空間部２８Ｓを通過して、カバー２８内の電源に接続される。よって、配線Ｈの露出を抑えることができるため、外観を良好とすることができる。
【００８６】
（第二実施形態）
以下、本発明の第二実施形態に係るキャビネット装置１０１Ｚについて、主に図１２〜図１４を用いて説明する。
この実施形態において、前述した実施形態で用いた部材と同一の部材には同一の符号を付して、その説明を省略する。
【００８７】
図１２に示すように、本実施形態のキャビネット装置１０１Ｚの一態様の照明装置付きキャビネット装置１０１Ａ（以下、単に「キャビネット装置１０１Ａ」）は、キャビネット２と、キャビネット２の上部に設けられた照明体１０３Ｚとを備えている。
【００８８】
照明体１０３Ｚは、第一実施形態におけるキャビネット装置１を構成する取付金具３０と照明フレーム４０とが一体に形成された取付フレーム１３０と、取付フレーム１３０に設けられた照明装置５０と、照明装置５０の配線Ｈを収容する配線ダクト６０とを有している。
【００８９】
取付フレーム１３０は、一対の挿入片１３１と、下端に挿入片１３１が設けられ上下方向に延びる筒状の筒部１４１と、筒部１４１の上端に設けられた上壁部１４２と、筒部１４１から前方に向かって延びる支持アーム１４６とを有している。これら、挿入片１３１と、筒部１４１と、上壁部１４２と、支持アーム１４６とは、一体に形成されている。
【００９０】
側板２１に形成された貫通孔２１Ｙから挿通されたネジ２１Ｚが、挿入片１３１の雌ネジ１３１Ｘに螺合されている。これにより、各取付フレーム１３０は、キャビネット２の前後両側に取り付けられている。
【００９１】
また、上壁部１４２には、上下方向に貫通する貫通孔１４２Ｘ（第二取付部）が形成されている。また、上壁部１４２の下面には、ナット１４２Ｎ（第二取付部）が設けられている。これら貫通孔１４２Ｘ及びナット１４２Ｎは、後述する連結部材１０９を取り付けるためのものである。
【００９２】
次に、図１３に示すように、連結部材１０９が設けられた連結部材付きキャビネット装置１０１Ｂ（以下、単に「キャビネット装置１０１Ｂ」）について説明する。
【００９３】
キャビネット２には、化粧金具１９１が設けられている。この化粧金具１９１は、第一実施形態におけるキャビネット装置１を構成する取付金具３０と化粧筒９１とが一体に形成されたものである。
【００９４】
化粧金具１９１は、一対の挿入片１３１と、下端に挿入片１３１が設けられ上下方向に延びる筒状の筒部１４１と、筒部１４１の上端に設けられた上壁部１４３とを有している。これら、挿入片１３１と、筒部１４１と、上壁部１４２とは、一体に形成されている。
【００９５】
また、上壁部１４３には、上下方向に貫通する貫通孔１４３Ｘ（第三取付部）が形成されている。また、上壁部１４３の下面には、ナット１４３Ｎ（第三取付部）が設けられている。
【００９６】
側板２１に形成された貫通孔２１Ｙから挿通されたネジ２１Ｚが、挿入片１３１の雌ネジ１３１Ｘに螺合されている。これにより、化粧金具１９１は、キャビネット２の前後両側に取り付けられている。
【００９７】
連結部材１０９は、化粧金具１９１同士を連結する頭つなぎ材９２と、頭つなぎ材同士を連結する連結金具１００（図１０参照）とを有している。
【００９８】
頭つなぎ材９２の上面及び下面に形成された貫通孔９２Ｘに挿通されたネジ９２Ｚは、化粧金具１９１の貫通孔１４３Ｘに挿通されナット１４３Ｎに螺合されている。これにより、頭つなぎ材９２は、キャビネット２の前後両側に取り付けられている。
【００９９】
次に、図１４に示すように、照明装置５０及び連結部材１０９が設けられた照明部材及び連結部材付きキャビネット装置１０１Ｃ（以下、単に「キャビネット装置１０１Ｃ」）について説明する。
キャビネット装置１０１Ｃでは、キャビネット２に取り付けられた取付フレーム１３０の上部同士が連結部材１０９で連結されている。
【０１００】
連結部材１０９の頭つなぎ材９２の貫通孔９２Ｘに挿通されたネジ９２Ｚは、取付フレーム１３０の貫通孔１４２Ｘに挿通されナット１４２Ｎに螺合されている。これにより、頭つなぎ材９２は、取付フレーム１３０に取り付けられている。つまり、照明装置５０及び頭つなぎ材９２は、それぞれ取付フレーム１３０を介して、キャビネット２に取り付けられている。
【０１０１】
このように構成されたキャビネット装置１０１Ｚでは、取付フレーム１３０は、キャビネット２に取り付けられる挿入片１３１と、支持アーム４６の基部となる筒部１４１と、照明装置５０を支持する支持アーム４６とが一体として形成されている。また、化粧金具１９１は、キャビネット２に取り付けられる挿入片１３１と、連結部材１０９を支持する筒部１４１とが一体として構成されている。よって、これらの部分が別々に構成されている場合よりも、互いに部分を連結する手間や工数を削減することができるとともに、部品点数を抑えることができる。
【０１０２】
（第三実施形態）
以下、本発明の第三実施形態に係るキャビネット装置２０１について、主に図１５〜図１７を用いて説明する。
この実施形態において、前述した実施形態で用いた部材と同一の部材には同一の符号を付して、その説明を省略する。
【０１０３】
図１５に示すように、本実施形態のキャビネット装置２０１の一態様の照明装置付きキャビネット装置２０１Ａ（以下、単に「キャビネット装置２０１Ａ」）は、キャビネット２と、キャビネット２の上部に設けられた照明体２０３とを備えている。
【０１０４】
照明体２０３は、取付金具２３０と、取付金具２３０から延びる照明フレーム２４０（オプション取付部）と、照明装置５０と、配線ダクト６０とを有している。
【０１０５】
取付金具２３０は、一対の挿入片２３１と、各挿入片２３１から上方に延びる支持壁部２３２と、支持壁部２３２の上端同士を連結する連結壁部２３３と、支持壁部２３２の上下方向中間部同士を連結する補強壁部２３４とを有している。
【０１０６】
側板２１の貫通孔２１Ｙから挿通されたネジ２１Ｚが、挿入片２３１の雌ネジ２３１Ｘに螺合されている。これにより、各取付金具２３０は、キャビネット２の前後両側に取り付けられている。
【０１０７】
照明フレーム２４０は、上下方向に延びる筒状に形成された挿入筒２４１（基部）と、挿入筒２４１から前方に向かって延びる支持アーム２４６（支持杆）とを有している。本実施形態では、挿入筒４１と支持アーム４６とは一体として形成されている。
【０１０８】
挿入筒２４１内には、取付金具２３０の支持壁部２３２及び連結壁部２３３が挿入配置されている。この取付金具２３０の支持壁部２３２の外面及び前後端部が、挿入筒２４１の内面に当接するように配置されている。このように、挿入筒２４１は、取付金具２３０に嵌っている。
【０１０９】
また、挿入筒２４１の上端には、上壁部２４２が設けられている。上壁部２４２には、上下方向の貫通する貫通孔２４２Ｘ（第二取付部）が形成されている。また、上壁部２４２の下面には、ナット２４２Ｎ（第二取付部）が設けられている。これら貫通孔２４２Ｘ及びナット２４２Ｎは、後述する連結部材２０９を取り付けるためのものである。
【０１１０】
次に、図１６に示すように、連結部材２０９が設けられた連結部材付きキャビネット装置２０１Ｂ（以下、単に「キャビネット装置２０１Ｂ」）について説明する。
【０１１１】
キャビネット２には、取付金具２３０が設けられている。この取付金具２３０の外側には、化粧筒２９１が配置されている。
なお、本実施形態では、取付金具２３０と化粧筒２９１とが取付本体を構成している。
【０１１２】
化粧筒２９１は、筒状に形成された筒本体２９２と、筒本体２９２の上端を閉塞するように設けられた上壁部２９３とを有している。
【０１１３】
また、上壁部２９３には、上下方向に貫通する貫通孔２９３Ｘ（第三取付部）が形成されている。また、上結壁部１４３の下面には、ナット１４３Ｎ（第三取付部）が設けられている。
【０１１４】
連結部材２０９は、複数の化粧筒２９１同士を連結する頭つなぎ材９２と、頭つなぎ材同士を連結する連結金具１００（図１０参照）とを有している。
【０１１５】
頭つなぎ材９２の上面及び下面に形成された貫通孔９２Ｘに挿通されたネジ９２Ｚは、化粧筒２９１の貫通孔２９３Ｘに挿通されナット２９３Ｎに螺合されている。これにより、頭つなぎ材９２は、キャビネット２の前後両側に取り付けられている。
【０１１６】
次に、図１７に示すように、照明装置５０及び連結部材２０９が設けられた照明部材及び連結部材付きキャビネット装置２０１Ｃ（以下、単に「キャビネット装置２０１Ｃ」）について説明する。
キャビネット装置２０１Ｃでは、キャビネット２に取り付けられた照明フレーム２４０の上部同士が連結部材２０９で連結されている。
【０１１７】
連結部材２０９の頭つなぎ材９２の貫通孔９２Ｘに挿通されたネジ９２Ｚは、照明フレーム２４０の貫通孔２４２Ｘに挿通されナット２４２Ｎに螺合されている。これにより、頭つなぎ材９２は、照明フレーム２４０に取り付けられている。つまり、照明装置５０及び頭つなぎ材９２は、それぞれ照明フレーム２４０を介して、キャビネット２に取り付けられている。
【０１１８】
このように構成されたキャビネット装置２０１では、照明フレーム２４０の挿入筒２４１は、キャビネット２に設けられた取付金具２３０にはめ込まれることで、取付金具２３０に取り付けられている。よって、照明装置５０を簡易に設けることができる。
【０１１９】
また、上述した実施の形態において示した各構成部材の諸形状や組み合わせ等は一例であって、本発明の主旨から逸脱しない範囲において設計要求等に基づき種々変更可能である。
【０１２０】
例えば、上記に示す実施形態においては、照明装置５０及び連結部材９は、キャビネット２の側板２１の前後方向両端に設けられているが、本発明はこれに限られない。照明装置５０及び連結部材９が側板２１の前後方向途中部分に設けられていてもよい。さらには、照明装置５０及び連結部材９は、棚板２６に設けられていてもよい。
【符号の説明】
【０１２１】
１，１０１Ｚ，２０１…キャビネット装置
２…キャビネット（棚）
３，１０３，２０３…照明体（オプション部材）
９…連結部材
２１…側板（支持体）
２１Ｘ…取付穴（第一取付部）
２１Ｙ…貫通孔（第一取付部）
２６…棚板
２８Ｓ…空間部（第二空間部）
３０…取付金具（取付本体）
３３Ｎ…ナット（第二取付部、第三取付部）
３３Ｓ…空間部（第一空間部）
３３Ｘ…貫通孔（第二取付部、第三取付部）
４０…照明フレーム（オプション取付部）
４１…挿入筒（基部）
４６…支持アーム（支持杆）
４６Ｓ…支持アーム空間部（第一空間部）
５０…照明装置
６０…配線ダクト
１４２Ｘ，２４２Ｘ…貫通孔（第二取付部）
１４２Ｎ，２４２Ｎ…ナット（第二取付部）
１４３Ｘ，２９３Ｘ…貫通孔（第三取付部）
１４３Ｎ，２９３Ｎ…ナット（第三取付部）
１９１…化粧金具（取付本体）
【図１】
2015126823.tif 000003
【図２】
2015126823.tif 000004
【図３】
2015126823.tif 000005
【図４】
2015126823.tif 000006
【図５】
2015126823.tif 000007
【図６】
2015126823.tif 000008
【図７】
2015126823.tif 000009
【図８】
2015126823.tif 000010
【図９】
2015126823.tif 000011
【図１０】
2015126823.tif 000012
【図１１】
2015126823.tif 000013
【図１２】
2015126823.tif 000014
【図１３】
2015126823.tif 000015
【図１４】
2015126823.tif 000016
【図１５】
2015126823.tif 000017
【図１６】
2015126823.tif 000018
【図１７】
2015126823.tif 000019